(57)【要約】【課題】操作ノブの操作位置にかかわらず、可動接点の接触圧を適正に保つことができ、スイッチの寿命を長く設定できるとともに、セルフクリーニング作用を十分に確保してスイッチの接触安定性を保つことができ、操作荷重の増大を抑えることを課題とする。【解決手段】板ばね１５は、中央部分に板状に形成され、操作ノブ１６が係止される基部５１と、この基部５１の一端に略Ｕ字に形成される一端Ｕ字状部５２と、この一端Ｕ字状部５２から延出され、固定側端子１２に接触する固定接点５５と、基部５１の他端が略Ｕ字に形成される他端Ｕ字状部５７と、この他端Ｕ字状部５７から延出され、可動側端子１３に接触する可動接点５９とを備え、固定接点５５と可動接点５９とが交差するように配置された。【選択図】図２
2009016264.tif 000002
【特許請求の範囲】
【請求項１】
絶縁体で形成されるフレームと、このフレームに形成され、外部回路に接続する固定側端子及び可動側端子と、フレームに被せられるケースと、このケースに収納され、固定側端子及び可動側端子に接触する板ばねと、ケース又はフレームに揺動可能に支持されるとともにケースから突出され、板ばねを駆動してスイッチング操作をする操作ノブとからなる小型プッシュスイッチにおいて、
前記板ばねは、中央部分に板状に形成され、前記操作ノブが係止される基部と、この基部の一端に略Ｕ字に形成される一端Ｕ字状部と、この一端Ｕ字状部から延出され、前記固定側端子に接触する固定接点と、前記基部の他端が略Ｕ字に形成される他端Ｕ字状部と、この他端Ｕ字状部から延出され、前記可動側端子に接触する可動接点とを備え、
前記固定接点と前記可動接点とが交差するように配置されたことを特徴とする小型プッシュスイッチ。
【請求項２】
前記操作ノブは、前記ケース又はフレームに揺動可能に支持される軸部を備え、この軸部が前記固定接点が形成される前記一端Ｕ字状部側に設けられたことを特徴とする請求項１記載の小型プッシュスイッチ。
【請求項３】
前記軸部の回転中心と前記一端Ｕ字状部のＵ字の中心とが、略同一位置に設定されたことを特徴とする請求項１又は請求項２記載の小型プッシュスイッチ。
【請求項４】
前記固定側端子及び前記可動側端子は、前記フレームの底面に埋没して配置されたことを特徴とする請求項１、請求項２又は請求項３記載の小型プッシュスイッチ。
【請求項５】
前記固定接点は、前記固定側端子に常時接触され、前記可動接点は、前記操作ノブの開放状態では前記可動側端子に対して所定の距離を離して配置され、前記可動側端子に選択的に接触されることを特徴とする請求項１〜４のいずれか１項記載の小型プッシュスイッチ。
【請求項６】
前記操作ノブは、前記板ばねに嵌合する突起が設けられ、この突起に前記板ばねを仮止めする仮止用リブが設けられたことを特徴とする請求項１〜５のいずれか１項記載の小型プッシュスイッチ。
【発明の詳細な説明】
【技術分野】
【０００１】
本発明は、ＣＤやＤＶＤなどの挿入があったことを検知するために用いる小型プッシュスイッチであり、操作ノブを押下げ若しくは開放することで接点の開閉動作を行う小型プッシュスイッチに関する。
【背景技術】
【０００２】
小型プッシュスイッチの中には、フレームに固定側端子及び可動側端子を設け、これらの固定側端子及び可動側端子に板ばねを接触させ、スイッチング動作をさせるものが知られている。
この種の小型プッシュスイッチは、ケースに板ばね、固定側端子及び可動側端子を収納し、板ばねに操作ノブを取付け、ケースから操作ノブを突出させて操作するものであった。
【０００３】
このような小型プッシュスイッチとして、板ばねをＵ字状に形成したものが知られている（例えば、特許文献１参照。）。
【特許文献１】特開平６−８４４２８公報（第４頁、図１）
【０００４】
特許文献１の技術の概要を、図１２に基づいて説明する。
図１２は従来の小型プッシュスイッチの説明図である。
従来の小型プッシュスイッチ２００は、絶縁体で形成したケース２０１と、ケース２０１に嵌合される基板２０２と、この基板２０２に設けられ、外部回路に接続する固定側端子２０４及び可動側端子２０５と、ケース２０１に収納され、固定側端子２０４に常時接触するとともに可動側端子２０５に選択的に接触する板ばね２０６と、ケース２０１に揺動可能に支持されるとともにケース２０１から突出され、板ばね２０６を駆動してスイッチング操作をする操作ノブ２０７とからなる。
【０００５】
板ばね２０６は、略Ｕ字状に形成されたＵ字状部２１１と、Ｕ字状部２１１の一端に形成され、操作ノブ２０７に支持される支持部２１２と、Ｕ字状部２１１の他端を分割構成して形成される固定接点２１３及び可動接点２１４とからなる。
固定接点２１３は固定側端子２０４に常時接触され、可動接点２１４は可動側端子２０５に選択的に接触される。
【０００６】
このように、従来の小型プッシュスイッチ２００は、固定側端子２０４に固定接点２１３を接触させ、操作ノブ２０７を操作し、可動側端子２０５に可動接点２１４を離接することで、スイッチング動作をするものであった。
【０００７】
しかし、従来の小型プッシュスイッチ２００では、Ｕ字状部２１１から可動接点２１４までの長さが、Ｕ字状部２１１から固定接点２１３までの長さに比べて短い。従って、固定接点２１３に比べ可動接点２０４の接触圧が安定しにくい。
【０００８】
また、小型プッシュスイッチ２００では、操作ノブ２０７を深く押すに連れて固定接点２１３及び可動接点２１４の接点圧が増大する。接点圧が増大すると、特に、可動側端子２０５に離接する可動接点２１４では、接点摩耗が促進され、スイッチの寿命が短くなる。また、操作荷重も増大するので、使用機器に制約があった。
【０００９】
さらに、小型プッシュスイッチ２００では、可動接点２１４の動きを見ると可動側端子２０５に当たるだけの動きが主であり、可動接点２１４が可動側端子２０５に摺る動きが少ない。従って、スイッチに必要なセルフクリーニング作用が少ないので、スイッチの接触抵抗を一定に保つことができず、スイッチの接触安定性の悪化を招く。
【００１０】
ここで、セルフクリーニング作用（ワイピング作用）とは、接点が端子に離接するときに、接点が端子に摺る動きをさせることで、接点や端子の絶縁皮膜を破壊し、自動的に接点及び端子のクリーニングをする作用を言う。この結果、スイッチの接触抵抗を常に所定の範囲内の値に確保することができる。
【発明の開示】
【発明が解決しようとする課題】
【００１１】
本発明は、操作ノブの操作位置にかかわらず、可動接点の接触圧を適正に保つことができ、スイッチの寿命を長く設定できるとともに、セルフクリーニング作用を十分に確保してスイッチの接触安定性を保つことができ、操作荷重の増大を抑えた小型プッシュスイッチを提供することを課題とする。さらには、組立性も配慮された小型プッシュスイッチを提供することを課題とする。
【課題を解決するための手段】
【００１２】
請求項１に係る発明は、絶縁体で形成されるフレームと、このフレームに形成され、外部回路に接続する固定側端子及び可動側端子と、フレームに被せられるケースと、このケースに収納され、固定側端子及び可動側端子に接触する板ばねと、ケース又はフレームに揺動可能に支持されるとともにケースから突出され、板ばねを駆動してスイッチング操作をする操作ノブとからなる小型プッシュスイッチにおいて、板ばねは、中央部分に板状形成され、操作ノブが係止される基部と、この基部の一端に略Ｕ字に形成される一端Ｕ字状部と、この一端Ｕ字状部から延出され、固定側端子に接触する固定接点と、基部の他端が略Ｕ字に形成される他端Ｕ字状部と、この他端Ｕ字状部から延出され、可動側端子に接触する可動接点とを備え、固定接点と可動接点とが交差するように配置されたことを特徴とする。
【００１３】
請求項２に係る発明は、操作ノブに、ケース又はフレームに揺動可能に支持される軸部を備え、この軸部が固定接点が形成される一端Ｕ字状部側に設けられたことを特徴とする。
【００１４】
請求項３に係る発明は、軸部の回転中心と一端Ｕ字状部のＵ字の中心とが、略同一位置に設定されたことを特徴とする。
【００１５】
請求項４に係る発明は、固定側端子及び可動側端子が、フレームの底面に埋没して配置されたことを特徴とする。
【００１６】
請求項５に係る発明は、固定接点は、固定側端子に常時接触され、可動接点は、操作ノブの開放状態では可動側端子に対して所定の距離を離して配置され、可動側端子に選択的に接触されることを特徴とする。
【００１７】
請求項６に係る発明は、操作ノブに、板ばねに嵌合する突起が設けられ、この突起に板ばねを仮止めする仮止用リブが設けられたことを特徴とする。
【発明の効果】
【００１８】
請求項１に係る発明では、フレームと、外部回路に接続する固定側端子及び可動側端子と、フレームに被せられるケースと、固定側端子及び可動側端子に接触する板ばねと、板ばねを駆動してスイッチング操作をする操作ノブとから小型プッシュスイッチが構成される。
【００１９】
板ばねは、操作ノブが係止される基部の一端に一端Ｕ字状部が形成され、この一端Ｕ字状部から固定側端子に接触する固定接点が延出され、基部の他端に他端Ｕ字状部が形成され、この他端Ｕ字状部から可動側端子に接触する可動接点が延出され、固定接点と可動接点とが交差するように配置される。これにより、一端Ｕ字状部から固定接点までの距離を長く設定できるとともに、他端Ｕ字状部から可動接点までの距離を長く設定できるので、固定接点及び可動接点のたわみ量を十分に確保することができる。この結果、板ばねの初期たわみを大きく取ることで、固定接点及び可動接点の接触圧を均一に保つことができ、安定したスイッチング動作をさせることができる。
【００２０】
請求項２に係る発明では、操作ノブに、ケース又はフレームに揺動可能に支持される軸部を備え、この軸部が固定接点が形成される一端Ｕ字状部側に設けられた。これにより、接触圧について考察すると、操作ノブをケース側に押し込んだときに、固定接点では接触圧は増加し、可動接点では接触圧はほぼ一定となる。接点移動について考察すると、操作ノブをケース側に押し込んだときに、固定接点では接点移動が小さく、可動接点では接点移動が大きい。
【００２１】
すなわち、固定接点では、接触圧は増加するが接点移動が小さいので、接点摩耗を抑えることができる。
可動接点では、接触圧はほぼ一定なので接点摩耗を抑えることができる。この結果、スイッチの寿命を延ばすことができる。また、可動接点では、接点移動が大きいので、セルフクリーニング作用（ワイピング作用）を十分に発揮させることができる。この結果、接触抵抗を一定に保つことができ、接触安定性の良好なスイッチを実現することができる。  さらに、可動接点では、接点移動が大きいので、スイッチのＯＮ位置精度を良好にすることができる。また、操作荷重の増大を抑えることができる。
【００２２】
請求項３に係る発明では、軸部の回転中心と一端Ｕ字状部のＵ字の中心とが、略同一位置に設定したので、固定接点では接点移動をほぼゼロにすることができる。これにより、固定接点の接点摩耗をさらに抑えることができる。
【００２３】
請求項４に係る発明では、固定側端子及び可動側端子が、フレームの底面に埋没して配置されたので、フレームの底面から突出した場合に比べ、スイッチング動作中の動作力の低減を図ることができる。
【００２４】
請求項５に係る発明では、固定接点は、固定側端子に常時接触され、可動接点は、操作ノブの開放状態では可動側端子に対して所定の距離を離して配置され、可動側端子に選択的に接触される。これにより、操作ノブの開放状態ではＯＦＦ、操作ノブの操作状態ではＯＮのスイッチとなる。固定接点を固定側端子に常時接触することで、板ばねを安定して配置することができる。この結果、スイッチング動作を安定させることができる。
【００２５】
請求項６に係る発明では、操作ノブに、板ばねに嵌合する突起が設けられ、この突起に板ばねを仮止めする仮止用リブが設けられたので、操作ノブに板ばねを仮止めしておくことができる。また、組込み後は板ばねの接触圧の反力で操作ノブ側に付勢されるので、例えば、熱容着などの固定作業が不要となる。この結果、小型プッシュスイッチの組立性の向上を図ることができる。
【発明を実施するための最良の形態】
【００２６】
本発明を実施するための最良の形態を添付図に基づいて以下に説明する。なお、図面は符号の向きに見るものとする。
図１は本発明に係る小型プッシュスイッチの正面図であり、図２は図１に示された小型プッシュスイッチの正面断面図であり、図３は図１に示された小型プッシュスイッチの平面図であり、図４は図１に示された小型プッシュスイッチの側面断面図である。
【００２７】
図１〜図４に示すように、小型プッシュスイッチ１０は、絶縁体で形成されるフレーム（ベース）１１と、このフレーム１１に形成され、外部回路に接続する固定側端子１２及び可動側端子１３と、フレーム１１に被せられるケース１４と、このケース１４に収納され、固定側端子１２及び可動側端子１３に接触する板ばね１５と、ケース１４に揺動可能に支持されるとともにケース１４から突出され、板ばね１５を駆動してスイッチング操作をする操作ノブ１６とからなる。
【００２８】
図５は図１に示された小型プッシュスイッチのカバーの正面断面図であり、図６は図１に示された小型プッシュスイッチのフレームの正面断面図である。
図６に示されるように、フレーム１１は、絶縁体である樹脂材料で成形された略箱状の部材であり、成形時に金属の固定側端子１２及び可動側端子１３が一体的に形成される。  さらに、フレーム１１は、固定側端子１２及び可動側端子１３が埋没して形成される底面２１と、この底面２１から立上げられた前後の壁面２２，２２及び左右の壁面２４，２５と、前後の壁面２２，２２に形成されケース１４に嵌合する爪部２６，２６（一方不図示）と、操作ノブ１６を支える上端部２７とを備える。
【００２９】
固定側端子１２は、板ばね１５に接触する接触面３１、外部回路（不図示）に接続される端子部３２とからなる。可動側端子１３は、板ばね１５に接触する接触面３５、外部回路（不図示）に接続される端子部３６とからなる。
先に説明したように、固定側端子１２の接触面３１及び可動側端子１３の接触面３５は底面２１に埋没して形成される。図６に示されるように、固定側端子１２の接触面３１、可動側端子１３の接触面３５、フレーム１１の底面２１は、同一レベルである。
【００３０】
すなわち、固定側端子１２及び可動側端子１３が、フレーム１１の底面２１に埋没して配置されたので、フレーム１１の底面から突出した場合に比べ、スイッチング動作中の動作力の低減を図ることができる。
【００３１】
図５に示されるように、ケース１４は、板ばね１５と操作ノブ１６の一部とを収納する凹部４１と、この凹部４１の片側に形成された取付片４２とからなる。
【００３２】
凹部４１は、上面４３に形成され、内部から操作ノブ１６を覗かせる開口４４と、前後の壁面４５，４５（一方不図示）の内部に凹状に形成され、操作ノブ１６を揺動可能（回転可能）に支持する支持部４６，４６（一方不図示）と、前後の壁面４５，４５に形成され、フレーム１１の爪部２６，２６が嵌合する嵌合孔４７，４７（一方不図示）と、前後の壁面４５，４５に突出され、筐体（不図示）に取付けるときの位置決めとなるボス４８，４８（一方不図示）とが形成される。
取付片４２は、前後方向に開けられ、筐体に取付けるための取付孔４９が形成される。
【００３３】
図７は図１に示された小型プッシュスイッチの板ばねの平面図であり、図８は図１に示された小型プッシュスイッチの板ばねの正面図である。
図７、図８に示されるように、板ばね１５は、中央部分に板状（直線状）に形成され、操作ノブ１６が係止される基部５１と、この基部５１の一端に略Ｕ字に形成される一端Ｕ字状部５２と、この一端Ｕ字状部５２から曲げ部５３を介して延出されるばね部５４と、このばね部５４に形成され、固定側端子１２に接触する固定接点５５と、基部５１の他端に略Ｕ字に形成される他端Ｕ字状部５７と、この他端Ｕ字状部５７から延出されるばね部５８と、このばね部５８に形成され、可動側端子１３に接触する可動接点５９とを備える。
【００３４】
基部５１は、一端Ｕ字状部５２や他端Ｕ字状部５７に比較して幅広に形成される部分であり、操作ノブ１６を仮止めする係止孔６２を備える。
一端Ｕ字状部５２と他端Ｕ字状部５７とは、基部５１から平面視で互い違いに形成される。
一端Ｕ字状部５２は、他端Ｕ字状部５７に比べ幅広に形成されるとともに、Ｕ字状の半径も他端Ｕ字状部５７に比べ大きい。
【００３５】
固定接点５５と可動接点５９とは、側面視で交差するように形成される。固定接点５５は、可動接点５９に比べ接点面積が大きい。
曲げ部５３から固定接点５５までのスパン（長さ）と、他端Ｕ字状部５７から可動接点５９までのスパン（長さ）とは、略同一長さに形成される。
固定接点５５は、可動接点５９に比べ、フレーム１１及びケース１４に収納されるときのたわみ量が大きい。
【００３６】
すなわち、板ばね１５は、操作ノブ１６が係止される基部５１の一端に一端Ｕ字状部５２が形成され、この一端Ｕ字状部５２から固定側端子１２に接触する固定接点５５が延出され、基部５１の他端に他端Ｕ字状部５７が形成され、この他端Ｕ字状部５７から可動側端子１３に接触する可動接点５９が延出され、固定接点５５と可動接点５９とが交差するように配置される。これにより、一端Ｕ字状部５２から固定接点５５までの距離を長く設定できるとともに、他端Ｕ字状部５７から可動接点５９までの距離を長く設定できるので、固定接点５５及び可動接点５９のたわみ量を十分に確保することができる。この結果、板ばね１５の初期たわみを大きく取ることで、固定接点５５及び可動接点５９の接触圧を均一に保つことができ、安定したスイッチング動作をさせることができる。
【００３７】
図９は図１に示された小型プッシュスイッチの操作ノブの正面図であり、図１０は図１に示された小型プッシュスイッチの操作ノブの下面図である。
操作ノブ１６は、側面視略Ｕ字状の本体部７１と、この本体部７１の上面に形成されるとともにケース１４の外部に突出され、スイッチング操作をする操作部７２と、本体部７１の下面に形成され、板ばね１５の係止孔６２に嵌合する突起（ボス）７３と、この突起７３に形成され、板ばね１５を仮止めする仮止用リブ７４，７４と、本体部７１のＵ字状部分の片側に形成され、板ばね１５の一端Ｕ字状部５２が位置する側壁部７５と、この側壁部７５から左右に突出され、ケース１４に嵌合する前後の軸部７６，７７（７７は図１０参照）とからなる。
【００３８】
前の軸部７６の長さは、後の軸部７７の長さよりも長い。
本体部７１のＵ字部分、側壁部７５及び前の軸部７６で、板ばね１５の一端Ｕ字状部５２が収納されるばね収納部７８が形成される。
【００３９】
軸部７６，７７は、図２に示されたように、固定接点５５が形成される一端Ｕ字状部５２側に設けられ、軸部７６，７７の回転中心と一端Ｕ字状部５２のＵ字の中心とが、略同一位置に設定される。
また、軸部７６，７７は、ケース１４側の支持部４６，４６とフレーム１１側の上端部２７とで揺動自在（回転自在）に支持される。
【００４０】
小型プッシュスイッチ１０（図２参照）では、操作ノブ１６に、板ばね１５に嵌合する突起７３が設けられ、この突起７３に板ばね１５を仮止めする仮止用リブ７４が設けられたので、操作ノブ１６に板ばね１５を仮止めしておくことができる。また、組込み後は板ばね１５の接触圧の反力で操作ノブ１６側に付勢されるので、例えば、熱容着などの固定作業が不要となる。この結果、小型プッシュスイッチ１０の組立性の向上を図ることができる。
【００４１】
図１１（ａ）〜（ｃ）は図１に示された小型プッシュスイッチの動作説明図である。
（ａ）において、小型プッシュスイッチ１０は、操作ノブ１６が開放状態にあり、固定接点５５は固定側端子１２に接触し、可動接点５９は絶縁体であるフレーム１１の底面２１に接触している。従って、小型プッシュスイッチ１０は、ＯＦＦ状態である。ここで、板ばね１５の他端Ｕ字状部５７のＵ字の角度をα１とする。
【００４２】
（ｂ）において、操作ノブ１６の操作部７２を矢印ｂ１の如く押すと、小型プッシュスイッチ１０は、ＯＦＦ状態からＯＮ状態に移行する。
可動接点５９に着目すると、可動接点５９は底面２１から可動側端子１３に矢印ｂ２の如く移動を開始する。ここで、板ばね１５の他端Ｕ字状部５７のＵ字の角度をα２とする。（ａ）に示したＵ字の角度α１と（ｂ）に示したＵ字の角度α２を比較するとα１≒α２であり、ほとんど変化がないことが解る。すなわち、可動接点５９の接点圧はほぼ一定である。
【００４３】
固定接点５５に着目すると、固定接点５５は軸部７６，７７の回転中心と一端Ｕ字状部５２のＵ字の中心とが、略同一位置に設定されたので、固定接点５５では横方向の接点移動はほとんど起きない。板ばね１５の一端Ｕ字状部５２のたわみ量が増すので、接触圧は、（ａ）の状態のときの接点圧よりも増加する。
【００４４】
（ｃ）において、操作ノブ１６の操作部７２を矢印ｃ１の如く押すと、小型プッシュスイッチ１０は、ＯＮ状態に移行する。
可動接点５９に着目すると、可動接点５９は可動側端子１３上を矢印ｃ２の如く移動する。ここで、板ばね１５の他端Ｕ字状部５７のＵ字の角度をα３とする。（ｂ）に示したＵ字の角度α２と（ｃ）に示したＵ字の角度α３を比較するとα２≒α３であり、ほとんど変化がないことが解る。すなわち、可動接点５９の接点圧はほぼ一定である。
【００４５】
固定端子５５に着目すると、固定接点５５は軸部７６，７７の回転中心と一端Ｕ字状部５２のＵ字の中心とが、略同一位置に設定されたので、固定接点５５では横方向の接点移動はほとんど起きない。板ばね１５の一端Ｕ字状部５２のたわみ量がさらに増すので、接触圧は、（ｂ）の状態のときの接点圧よりも増加する。
【００４６】
（ａ）〜（ｃ）から、小型プッシュスイッチ１０は、スイッチ状態がＯＦＦからＯＮに変化するときに、固定接点５５ではほとんど移動がなく、接点圧が増加する。可動接点５９では大きく移動をし、接点圧は一定なスイッチであると言える。
【００４７】
すなわち、固定接点５５では、接触圧は増加するが接点移動が小さいので、接点摩耗を抑えることができる。
可動接点５９では、接触圧はほぼ一定なので接点摩耗を抑えることができる。この結果、スイッチの寿命を延ばすことができる。また、可動接点５９では、接点移動が大きいので、セルフクリーニング作用（ワイピング作用）を十分に発揮させることができる。この結果、接触抵抗を一定に保つことができ、接触安定性の良好なスイッチを実現することができる。
【００４８】
さらに、可動接点５９では、接点移動が大きいので、スイッチのＯＮ位置精度を良好にすることができる。また、操作荷重の増大を抑えることができる。
【００４９】
図２に示されるように、軸部７６，７７の回転中心と一端Ｕ字状部５２のＵ字の中心とが、略同一位置に設定したので、固定接点５５では接点移動をほぼゼロにすることができる。これにより、固定接点５５の接点摩耗をさらに抑えることができる。
【００５０】
また、固定接点５５は、固定側端子１２に常時接触され、可動接点５９は、操作ノブ１６の開放状態では可動側端子１３に対して所定の距離を離して配置され、可動側端子１３に選択的に接触される。これにより、操作ノブ１６の開放状態ではＯＦＦ、操作ノブ１６の操作状態ではＯＮのスイッチとなる。固定接点５５を固定側端子１２に常時接触することで、板ばね１５を安定して配置することができる。この結果、スイッチング動作を安定させることができる。
【００５１】
尚、本発明に係る小型プッシュスイッチ１０は、図７に示すように、固定接点５５及び可動接点５９は一体的の接点であったが、これに限るものではなく、固定接点及び可動接点を２分割若しくは３分割してそれぞれ固定側端子及び可動側端子に接触させるものであってもよい。これにより、接触抵抗をさらに安定させることができる。
【００５２】
本発明に係る小型プッシュスイッチ１０は、図２に示すように、操作ノブ１６をケース１４及びフレーム１１で揺動可能に支持したが、これに限るものではなく、ケース又はフレームで揺動可能に支持するものであってもよい。
【産業上の利用可能性】
【００５３】
本発明に係る小型プッシュスイッチは、ＣＤやＤＶＤなどの挿入があったことを検知するための検出スイッチに好適である。
【図面の簡単な説明】
【００５４】
【図１】本発明に係る小型プッシュスイッチの正面図である。
【図２】図１に示された小型プッシュスイッチの正面断面図である。
【図３】図１に示された小型プッシュスイッチの平面図である。
【図４】図１に示された小型プッシュスイッチの側面断面図である。
【図５】図１に示された小型プッシュスイッチのカバーの正面断面図である。
【図６】図１に示された小型プッシュスイッチのフレームの正面断面図である。
【図７】図１に示された小型プッシュスイッチの板ばねの平面図である。
【図８】図１に示された小型プッシュスイッチの板ばねの正面図である。
【図９】図１に示された小型プッシュスイッチの操作ノブの正面図である。
【図１０】図１に示された小型プッシュスイッチの操作ノブの下面図である。
【図１１】図１に示された小型プッシュスイッチの動作説明図である。
【図１２】従来の小型プッシュスイッチの説明図である。
【符号の説明】
【００５５】
１０…小型プッシュスイッチ、１１…フレーム、１２…固定側端子、１３…可動側端子、１４…ケース、１５…板ばね、１６…操作ノブ、２１…底面、５１…基部、５２…一端側Ｕ字状部、５５…固定接点、５７…他端側Ｕ字状部、５９…可動接点、７３…突起、７４…仮止め用リブ、７６，７７…軸部。
【図１】
2009016264.tif 000003
【図２】
2009016264.tif 000004
【図３】
2009016264.tif 000005
【図４】
2009016264.tif 000006
【図５】
2009016264.tif 000007
【図６】
2009016264.tif 000008
【図７】
2009016264.tif 000009
【図８】
2009016264.tif 000010
【図９】
2009016264.tif 000011
【図１０】
2009016264.tif 000012
【図１１】
2009016264.tif 000013
【図１２】
2009016264.tif 000014